【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
キャップであって、
自身の遠位端から突出するねじ山付き部分を有する嵌合連結器を有する中央本体、
前記中央本体から径方向で外に延びる一対の羽根部、および
前記中央本体の近位端から前記中央本体の前記遠位端まで、および前記嵌合連結器の前記ねじ山付き部分を通じて延びる第１の開口、
を備えるキャップと、
基部であって、
前記嵌合連結器の前記ねじ山付き部分に対応するねじ山付き中央開口であって、前記基部の近位端に位置決めされるねじ山付き中央開口、
頭蓋骨の開口と係合するように構成される遠位ねじ山付き部分、
前記ねじ山付き中央開口から径方向に外に延びる一対の羽根部、
前記ねじ山付き中央開口および前記遠位ねじ山付き部分を通じて延びる第２の開口、ならびに
前記基部の前記ねじ山付き中央開口へと配置されるように構成される圧迫グロメットであって、前記圧迫グロメットの近位端から前記圧迫グロメットの遠位端へと延びる第３の開口を有する圧迫グロメット、
を有する基部と、
を備え、
前記キャップが前記基部と嵌まり合って、かつ機器ケーブルの一部分を受け入れるように構成される機器ルーメンを形成した場合に、前記第１の開口、前記第２の開口、および前記第３の開口は並べられ、
前記キャップの前記ねじ山付き部分は、前記基部の前記ねじ山付き中央開口と嵌まり合うように構成され、
前記キャップの前記一対の羽根部の少なくとも一方の羽根部は、前記基部に向かう方向において突出する突起を有し、前記基部の前記一対の羽根部の各々の前記羽根部は座部を有し、
前記機器ケーブルが前記機器ルーメンを通じて延びたとき、前記キャップの前記一対の羽根部の少なくとも一方の羽根部からの前記突起と、前記基部の前記一対の羽根部における前記座部のうちの少なくとも一方と、は、前記キャップを前記基部において締め付けることで前記圧迫グロメットの所定の圧迫が加えられるときに、トルクストップを作り出すように構成され、
前記圧迫グロメットの前記所定の圧迫が加えられるとき、前記圧迫グロメットは、前記機器ケーブルに当たって圧迫し、前記機器ケーブルを、決定された深さにおける所定位置に固定する、頭蓋固定装置。
【請求項２】
前記圧迫グロメットの前記所定の圧迫が加えられるとき、前記キャップの前記一対の羽根部は前記基部の前記一対の羽根部と並べられる、請求項１に記載の頭蓋固定装置。
【請求項３】
前記嵌合連結器の前記ねじ山付き部分と、前記キャップの前記一対の羽根部の少なくとも一方の羽根部からの前記突起と、前記基部の前記一対の羽根部における前記座部のうちの少なくとも一方と、は、前記圧迫グロメットの前記所定の圧迫が加えられるとき、前記ねじ山付き部分の遠位端が前記ねじ山付き中央開口と嵌まり合い、前記キャップの前記一対の羽根部が前記基部の前記一対の羽根部と並べられ、前記キャップの前記一対の羽根部の少なくとも一方からの前記突起と、前記基部の前記一対の羽根部における前記座部のうちの少なくとも一方と、が前記トルクストップを作り出すように構成される、請求項１に記載の頭蓋固定装置。
【請求項４】
前記基部の前記一対の羽根部の各々の羽根部は、前記機器ケーブルの一部分を受け入れるように構成される切り込みをさらに備える、請求項１に記載の頭蓋固定装置。
【請求項５】
各々の切り込みは各々の羽根部の遠位部分にそれぞれ位置付けられる、請求項４に記載の頭蓋固定装置。
【請求項６】
前記機器ケーブルの一部分がそれぞれの前記切り込みに受け入れられるとき、前記機器ケーブルの一部分がそれぞれの前記切り込み同士の間で延びる、請求項５に記載の頭蓋固定装置。
【請求項７】
前記キャップの前記一対の羽根部の各々の羽根部は、前記基部の方向に向かう突起を備え、前記基部の一対の羽根部の各々の羽根部は、対応する座部を備え、各々の突起と対応する前記座部とは、前記圧迫グロメットの前記所定の圧迫が、前記キャップを前記基部において締め付けることで加えられるとき、トルクストップを形成する、請求項１に記載の頭蓋固定装置。
【請求項８】
前記機器ルーメンは、前記機器ケーブルをスライド可能に受け入れるための寸法とされる直径を有する、請求項１に記載の頭蓋固定装置。
【請求項９】
前記決定された深さは調節可能である、請求項１に記載の頭蓋固定装置。
【請求項１０】
前記キャップの前記一対の羽根部は、前記中央本体に対して反対の方向に対称的に延び、前記基部の前記一対の羽根部は、前記ねじ山付き中央開口に対して反対の方向に対称的に延びる、請求項１に記載の頭蓋固定装置。
【請求項１１】
前記第１の開口は、前記中央本体の前記近位端において、前記中央本体の前記遠位端より大きい直径を有する、請求項１に記載の頭蓋固定装置。
【請求項１２】
前記ねじ山付き部分は雄ねじ山を有する、請求項１に記載の頭蓋固定装置。
【請求項１３】
前記突起は、前記キャップの前記一対の羽根部の少なくとも一方の羽根部の遠位端に位置付けられる、請求項１に記載の頭蓋固定装置。
【請求項１４】
前記キャップの前記一対の羽根部は、前記キャップを前記基部に嵌め合わせることを容易にするように構成される、請求項１に記載の頭蓋固定装置。
【請求項１５】
基部であって、
キャップの嵌合連結器と嵌まり合うように構成されて、前記基部の近位端に位置決めされるねじ山付き中央開口、
頭蓋骨の開口と係合するように構成される遠位ねじ山付き部分、
前記ねじ山付き中央開口および前記遠位ねじ山付き部分を通じて延び、機器ケーブルの一部分を受け入れるように構成される開口、ならびに
前記ねじ山付き中央開口から径方向に外に延びる一対の羽根部であって、前記機器ケーブルの別の一部分を受け入れるように構成される切り込みを各々が有する一対の羽根部、
を備える基部、
を備え、
各々の切り込みは各々の羽根部の遠位部分にそれぞれ位置付けられる頭蓋固定装置。
【請求項１６】
前記機器ケーブルの一部分がそれぞれの前記切り込みに受け入れられるとき、前記機器ケーブルの一部分がそれぞれの前記切り込み同士の間に延びる、請求項１５に記載の頭蓋固定装置。
【請求項１７】
前記ねじ山付き中央開口は、圧迫グロメットを受け入れるようにさらに構成され、前記一対の羽根部の各々の羽根部は座部を有し、各々の座部は、キャップが前記基部と嵌まり合うことに応答して前記圧迫グロメットの所定の圧迫が加えられるときに、前記キャップにおける対応する突起と係合することで、トルクストップを形成するように構成される、請求項１６に記載の頭蓋固定装置。
【請求項１８】
キャップであって、
自身の遠位端から突出するねじ山付き部分を有する嵌合連結器を有する中央本体、
前記中央本体の近位端から前記中央本体の前記遠位端まで、および前記嵌合連結器の前記ねじ山付き部分を通じて延びる第１の開口、
を備えるキャップと、
基部であって、
前記嵌合連結器の前記ねじ山付き部分に対応するねじ山付き中央開口であって、前記基部の近位端に位置決めされるねじ山付き中央開口、
頭蓋骨における開口と係合するように構成される遠位ねじ山付き部分、
前記ねじ山付き中央開口から径方向で外に延びる一対の羽根部、
前記ねじ山付き中央開口および前記遠位ねじ山付き部分を通じて延びる第２の開口、ならびに
前記基部の前記ねじ山付き中央開口へと配置されるように構成される圧迫グロメットであって、前記圧迫グロメットの近位端から前記圧迫グロメットの遠位端へと延びる第３の開口を有する圧迫グロメット、
を有する基部と、
を備え、
前記キャップが前記基部と嵌まり合って、かつ機器ケーブルの一部分を受け入れるように構成される機器ルーメンを形成した場合に、前記第１の開口、前記第２の開口、および前記第３の開口は並べられ、
前記キャップの前記ねじ山付き部分は、前記基部の前記ねじ山付き中央開口と嵌まり合うように構成され、
前記機器ケーブルが前記機器ルーメンを通じて延びたとき、前記ねじ山付き中央開口の寸法と前記ねじ山付き部分の寸法とは、前記キャップを前記基部において締め付けることで前記圧迫グロメットの所定の圧迫が加えられるときに、トルクストップを作り出すように構成され、
前記圧迫グロメットの前記所定の圧迫が加えられるとき、前記圧迫グロメットは、前記機器ケーブルに当たって圧迫し、前記機器ケーブルを、決定された深さにおける所定位置に固定する、頭蓋固定装置。